(57)【要約】【課題】非電子式の簡易的な施錠機構を、電子式の施錠装置に置き換えるには、中央制御装置が必要となり、また、中央制御装置からの配線の手間がかかった。【解決手段】容易に既存の非電子式の簡易的な施錠機構を、電子式の施錠装置に置き換える技術を提供する。具体的には、収受装置は、格納部（１０）、扉部（２０）を有する。格納部には、施錠装置（１１）、制御装置（１２）が備えられる。制御装置は、押下スイッチ（１２２）が押されてから、あらかじめ決められた時間だけ、制御装置が備える電池からアンテナ（１２１）に電源を供給し、アンテナはその間、認証信号の受信を行う。受信した認証信号が正しい場合には、収受装置を解錠する。【選択図】図１
2019085793.tif 000002
【特許請求の範囲】
【請求項１】
物品の収受に用いられる収受装置（１）に開閉可能に設置される扉部（２０，２１）に設けられた設置穴（２１１）を挿通する大きさを有する押下部分を備えるように構成されたボタン部（１４，１２２）と、
電池を電源とし、前記ボタン部が押下されてからあらかじめ決められた時間である認証時間の間、電力を供給するように構成された電源部（１５，１２３）と、
前記電源部からの給電を受けて動作し、前記収受装置の外部の認証鍵から入力される信号である認証信号を読み取るように構成された読取部（１６，１２１）と、
前記認証信号に含まれる認証情報があらかじめ決められた条件である認証条件に合致する場合に、前記収受装置に備えられた前記扉部の施錠を行う施錠装置（１１）を、解錠された状態にするように構成された施錠制御部（１７）と、
を備える制御装置（１２）。
【請求項２】
請求項１に記載の制御装置であって、
前記設置穴は、ダイヤル錠を設置する穴を設置穴として用いる、制御装置。
【請求項３】
請求項１又は請求項２に記載の制御装置であって、
前記制御装置は、前記ボタン部の前記押下部分が前記設置穴を貫通し、前記扉部を閉じた状態で、前記収受装置の外部から押下可能となるように前記収受装置に取り付けられる、制御装置。
【請求項４】
請求項１から請求項３までのいずれか１項に記載の制御装置であって、
当該制御装置が取り付けられる前記収受装置に前記物品が投入されている状態であるか否かを判定するように構成された投入判定部（３０，３２）を更に備え、
前記施錠制御部は、前記投入判定部により前記収受装置に物品が投入されている状態であると判定された場合、前記扉部が閉じられると、前記施錠装置により施錠された状態にする前記施錠制御を行うように構成された、制御装置。
【請求項５】
請求項１から請求項４までのいずれか１項に記載の制御装置であって、
前記読取部は、前記認証信号を出力する認証鍵によって前記押下部分が押下された場合に、前記認証鍵によって送信される前記認証信号を受信できる位置に配置された、制御装置。
【請求項６】
請求項１から請求項５までのいずれか１項に記載の制御装置であって、
前記読取部は、前記押下部分の周囲に配置された、制御装置。
【請求項７】
物品の収受に用いられる収受装置（１）と、
前記収受装置に備えられた前記扉部の施錠を行う施錠装置（１１）と、
前記施錠装置の制御を行う制御装置（１２）と、
前記制御装置に用いられる認証鍵と、
を備える認証システムであって、
前記制御装置は、
前記収受装置に開閉可能に設置される扉部（２０，２１）に設けられた設置穴（２１１）を挿通する大きさを有する押下部分を備えるように構成されたボタン部（１４，１２２）と、
電池を電源とし、前記ボタン部が押下されてからあらかじめ決められた時間である認証時間の間、電力を供給するように構成された電源部（１５，１２３）と、
前記電源部からの給電を受けて動作し、前記収受装置の外部の認証鍵から入力される信号である認証信号を読み取るように構成された読取部（１６，１２１）と、
前記認証信号に含まれる認証情報があらかじめ決められた条件である認証条件に合致する場合に、前記施錠装置を解錠された状態にするように構成された施錠制御部（１７）と、
を備え、
前記電源部は、前記収受装置の内部に備えられた電池であり、
前記認証鍵は、ＲＦＩＤ用の周波数の前記認証信号を送信するＩＣカードである、認証システム。
【発明の詳細な説明】
【技術分野】
【０００１】
本開示は、施錠装置を制御する制御装置及び当該制御装置を含む認証システムに関する。
【背景技術】
【０００２】
特許文献１には、マンションなどの集合住宅において複数個設置され、宅配ボックスや郵便受けなどの物品の受け渡しに用いられる収受装置が開示されている。当該収受装置は、電子式の施錠装置を備える。電子式の施錠装置を備える収受装置には、当該施錠装置を制御するための中央制御装置が必要となる。当該中央制御装置は、複数の収受装置に対して、１つ設置され、各収受装置の施錠装置を集中制御する。使用者は、制御装置に対してＩＤカードなどの認証鍵を用いることにより、各収受装置の鍵を解錠することができる。このような電子式の施錠装置は、認証鍵を使用しなければ解錠することができない。そのため、一般に収受装置の施錠装置として普及しているダイヤル式などの非電子式の簡易的な施錠装置に比べ、防犯性が高い。そこで、防犯性を向上させるために非電子式の簡易的な施錠装置を、電子式の施錠装置に置き換えることが考えられる。
【先行技術文献】
【特許文献】
【０００３】
【特許文献１】特開２０１３−１７６５７８号公報
【発明の概要】
【発明が解決しようとする課題】
【０００４】
しかしながら、収受装置に備えられた既存の非電子式の簡易的な施錠機構を、電子式の施錠装置に置き換える場合、集中制御を行う制御装置が必要となり、以下の点で問題があった。
【０００５】
複数の収受装置のうち、一部のみ電子式の施錠装置に置き換える場合でも、収受装置の個数に関係なく、中央制御装置が必要となる。
また、中央制御装置による集中制御であるため、中央制御装置から各施錠装置へ配線する手間がかかる。
【０００６】
本開示は、容易に既存の非電子式の簡易的な施錠機構を、電子式の施錠装置に置き換える技術を提供する。
【課題を解決するための手段】
【０００７】
本発明の一態様は、制御装置（１２）であって、ボタン部（１４，１２２）と、電源部（１５，１２３）と、読取部（１６，１２１）と、施錠制御部（１７）と、を備える。ボタン部は、物品の収受に用いられる収受装置（１）において開閉可能に設置される扉部（２０，２１）に設けられた設置穴（２１１）を挿通する大きさを有する押下部分を備えるように構成されている。電源部は、電池を電源とし、ボタン部が押下されてからあらかじめ決められた時間である認証時間の間、電力を供給するように構成されている。読取部は、電源部からの給電を受けて動作し、収受装置の外部の認証鍵から入力される信号である認証信号を読み取るように構成されている。施錠制御部は、認証信号に含まれる認証情報があらかじめ決められた条件である認証条件に合致する場合に、収受装置に備えられた扉部の施錠を行う施錠装置（１１）を解錠された状態にするように構成されている。
【０００８】
このような構成によれば、容易に既存の非電子式の簡易的な施錠機構を、電子式の施錠装置に置き換えることができる。
なお、この欄及び特許請求の範囲に記載した括弧内の符号は、一つの態様として後述する実施形態に記載の具体的手段との対応関係を示すものであって、本開示の技術的範囲を限定するものではない。
【図面の簡単な説明】
【０００９】
【図１】収受装置の構造を表す図である。
【図２】扉部の構造を表す図である。
【図３】横板の形状を表す図である。
【図４】解錠状態における施錠装置の構造を表す図である。
【図５】ロック板の構造を表す図である。
【図６】施錠状態における施錠装置の構造を表す図である。
【図７】制御装置の正面図及び側面図である。
【図８】施錠装置及び制御装置が格納部に取り付けられる配置を表す図である。
【図９】制御装置の機能的な構成を表す図である。
【図１０】変形例における収受装置の各部の配置を表す図である。
【図１１】投入判定センサの構成を表す図である。
【図１２】レバー部の正面図及び側面図である。
【図１３】変形例において施錠装置、制御装置及びレバー部が格納部に取り付けられる配置を表す図である。
【図１４】変形例における収受装置の扉部を表す図である。
【発明を実施するための形態】
【００１０】
以下、図面を参照しながら、本開示の実施形態を説明する。
［１．構成］
図１に示すように収受装置１は、格納部１０及び扉部２０を備える。
【００１１】
格納部１０は、内部空間を有し、投入された郵便物を格納することができるように構成される。格納部１０は、開口部から郵便物を取り出すことができるように構成され、例えば直方体状の形状を有する。なお、以下では格納部１０の開口している面を開口面ともいう。
【００１２】
格納部１０の開口部のうち、格納部の側面の一方には扉部２０が蝶番により開閉可能に取り付けられる。以下では、扉部２０により格納部１０の開口部がふさがれた状態を閉状態という。また、扉部２０により格納部１０の開口部が開放された状態を開状態という。
【００１３】
扉部２０は、図２に示すように、扉部本体２１及び横板２２を備える。扉部本体２１の形状は、格納部１０の開口部をふさぐように長方形状であり、設置穴２１１及び投入口２１２を有する。
【００１４】
設置穴２１１は、扉部本体２１を貫通する穴である。設置穴２１１はダイヤル錠の取り付けに使用される穴である。設置穴２１１の大きさは例えば直径２ｃｍ程度である。
設置穴２１１には、設置穴２１１をふさぐように、設置カバー２１１ａが備えられる。設置カバー２１１ａには、あらかじめ決められた大きさの穴であるボタン穴２１１ｂが開口される。ボタン穴２１１ｂの大きさは後述する制御装置１２が有する押下スイッチ１２２が挿通できる大きさである。
【００１５】
投入口２１２は、郵便物を投入できるように扉部本体２１に設けられる。
横板２２は、図３に示すように、長方形状の板状の部材である。横板２２の板状の短辺のうち一方の辺を先端部２２１とする。横板２２には板面に垂直に開口する横板開口部２２２が設けられる。
【００１６】
横板２２は、図２に示すように、扉部本体２１の長辺方向の端部の一方の内側に固定される。また、横板２２は、扉部２０が閉まる際に移動する方向に先端部２２１が向くように扉部本体２１に固定される。さらに、横板２２は、板面と扉部本体２１の内側の面とが直交する向きに固定される。
【００１７】
格納部１０は、図１に示すように、施錠装置１１及び制御装置１２を備える。
施錠装置１１は、扉部２０が閉状態となった場合に、扉部２０を施錠する。ここでいう施錠は、扉部２０を閉状態で固定することをいう。施錠装置１１は制御装置１２に応じて扉部２０の解錠動作を行い、扉部２０を解錠する。ここでいう解錠は、扉部２０の施錠を解除することをいう。
【００１８】
施錠装置１１は、図４に示すように、ケース１１１、ロック板１１２、アクチュエータ１１３、接続ケーブル１１４及び非常解錠ボタン１１５を備える。
ケース１１１は、平行な２枚の長方形状の板であるケース板を有する。ケース板は、共に短辺部分の一方に凹部を有する形状であり、ケース板の板状平面と直交する方向に見てそれぞれの凹部の位置が一致するように配置される。そして凹部の幅Ｗは、横板２２の厚みよりも大きく形成される。ここで、凹部のうち、ケース１１１の短辺の端面に近い側を凹部の手前側、凹部の端面から遠い側を奥側ともいう。
【００１９】
ロック板１１２は図５に示すように、板状部材である。ロック板１１２は例えば一枚の金属板である。
ロック板１１２は、回転穴１１２ａを有し、固定部１１２ｂ、押込部１１２ｃ及び押戻部１１２ｄを有する。
【００２０】
回転穴１１２ａはロック板１１２を板厚方向に貫通するように設けられる。
固定部１１２ｂは回転穴１１２ａを中心とする円の接線方向に突出した部位である。固定部１１２ｂは、横板２２の横板開口部２２２を貫通することができる大きさに形成される。
【００２１】
押込部１１２ｃ及び押戻部１１２ｄは、ロック板１１２が回転穴１１２ａを中心として回転する際に操作される部位である。
ここで、押込部１１２ｃが押し込まれる方向と押戻部１１２ｄが押し込まれる方向とは回転穴１１２ａを中心とした円の接線方向に沿って互いに反対方向を向くように構成される。
【００２２】
ロック板１１２は、図４に示すように、その板状の面がケース１１１を構成するケース板と平行になるようにケース１１１に取り付けられる。ロック板１１２は回転穴１１２ａを回転軸が貫通し、当該回転軸によりケース１１１に取り付けられる。すなわち、ロック板１１２は回転穴１１２ａを中心に回転し、以下の第１の状態及び第２の状態が実現されるようにケース１１１のケース板の間に挟まれるように取り付けられる。
【００２３】
第１の状態では、図４に示すように、ロック板１１２の押込部１１２ｃが凹部に露出した状態となり、固定部１１２ｂがケース１１１に隠れた状態となる。
第１の状態において、押込部１１２ｃが凹部の奥側に押し込まれることにより、ロック板１１２が回転し、第２の状態に変化する。
【００２４】
第２の状態では、図６に示すように、ロック板１１２の押込部１１２ｃが押し込まれることにより、固定部１１２ｂが凹部の手前側に露出した状態となる。
第２の状態において、施錠装置１１が行う解錠動作により、第１の状態に戻る。ここでいう解錠動作は、アクチュエータ１１３が押戻部１１２ｄを押し戻し、押込部１１２ｃが押し込まれることにより回転する方向と反対方向に回転させる動作をいう。
【００２５】
アクチュエータ１１３は、施錠装置１１内に設けられ、入力された信号に応じて解錠動作を行う。アクチュエータ１１３は、伸縮部１１３ａを有する。アクチュエータ１１３は、伸縮部１１３ａが伸長した際に、伸縮部１１３ａがロック板１１２の押戻部１１２ｄに当たる位置に設けられる。
【００２６】
接続ケーブル１１４は、施錠装置１１に信号及び電力を入力するためのケーブルである。
非常解錠ボタン１１５は、制御装置１２に備えられ、手動で押し込むことにより、押戻部１１２ｄを押し戻すように構成される。すなわち、非常解錠ボタン１１５を押し込むことにより、電力供給が無い場合にも手動で解錠状態にすることができる。
【００２７】
また、非常解錠ボタン１１５の押し込みは、例えば、扉部本体２１に備えられた投入口２１２などから、非常解錠ボタン１１５を押し込むための専用の器具により押し込むことにより行われてもよい。これにより、閉状態において、電力供給が無い場合にも解錠することができる。
【００２８】
制御装置１２は、使用者が行う解錠操作に応じて、解錠制御を行うように構成される。ここで、解錠制御とは、施錠装置１１に対して解錠動作を行わせる制御である。
制御装置１２は、図７の正面図及び側面図に示すようにアンテナ１２１、押下スイッチ１２２、電池ケース１２３、施錠コネクタ１２４、ログコネクタ１２５、登録ボタン１２６、登録書換ボタン１２７及びメモリを備える。
【００２９】
アンテナ１２１は、外部からの認証信号を受信する受信面を備える。ここで、認証信号とは、収受装置１の外部の認証鍵から出力される信号をいい、認証情報を表す信号である。
ここでいう認証情報とはＩＤなどの認証に用いられる情報をいう。アンテナ１２１は、数ｃｍ離れた認証鍵から出力される認証信号を読み取ることができるように構成される。また認証鍵は、例えば、アンテナ１２１側において非接触で情報を読み取ることができるように、アンテナ１２１からの無線による送信電力により起動して認証信号を無線送信する機能を有するＲＦＩＤタグである。
【００３０】
押下スイッチ１２２は、閉状態において、使用者により押下可能であるように凸形状を有するスイッチである。
電池ケース１２３は、乾電池などの電源を格納する。
【００３１】
施錠コネクタ１２４は、制御装置１２から制御信号及び電力を出力するためのコネクタである。
ログコネクタ１２５は、制御装置１２に内蔵されたメモリに記録されたログをタブレットなどの外部機器に出力するためのコネクタである。ここで、ここで制御装置１２に内蔵されたメモリとはフラッシュメモリなどの半導体メモリをいう。また、ログとは、アンテナ１２１により読み取られた認証信号に含まれる認証情報の記録をいう。また、ログには、認証信号が読み取られた時刻を含んでいてもよい。ログはログコネクタ１２５に外部機器が接続された際に出力されてもよい。
【００３２】
登録ボタン１２６は、認証情報を登録するためのボタンである。登録ボタン１２６が押されると、アンテナ１２１が起動し、認証信号を読み取り、読み取られた認証信号に含まれる認証情報が登録情報として制御装置１２に内蔵されたメモリに記憶される。
【００３３】
登録書換ボタン１２７は、登録情報を書き換えるためのボタンである。登録書換ボタン１２７が押されると、アンテナ１２１が起動し、認証信号を読み取り、情報制御装置１２に内蔵されたメモリに記憶された登録情報を読み取った認証情報に書き換える。
【００３４】
ここで、アンテナ１２１の受信面を制御装置１２の正面とする。押下スイッチ１２２はアンテナ１２１の受信面の中央に配置される。すなわち、アンテナ１２１の受信面は押下スイッチ１２２の周囲に配置される。制御装置１２の正面からみてアンテナ１２１の奥側の右側側面に電池ケース１２３が配置される。施錠コネクタ１２４は制御装置１２の正面から向かって、制御装置１２の左側側面に配置される。ログコネクタ１２５、登録ボタン１２６及び登録書換ボタン１２７は、制御装置１２の右側側面の電池ケース１２３の手前側に配置される。
【００３５】
なお、アンテナ１２１、押下スイッチ１２２、電池ケース１２３、施錠コネクタ１２４、ログコネクタ１２５、登録ボタン１２６及び登録書換ボタン１２７の配置は、これに限定するものではなく、種々の配置を取ることができる。
【００３６】
アンテナ１２１と押下スイッチ１２２との位置関係は、上述した位置に限定されるものではない。例えば、アンテナ１２１は、使用者が認証鍵を押下スイッチ１２２に接触させ、押下スイッチ１２２を押下した場合に、認証鍵により出力される信号を受信することができる位置であればよい。
【００３７】
施錠コネクタ１２４は、施錠装置１１に備えられた接続ケーブル１１４が接続可能に構成される。
格納部１０には、図８に示すように、施錠装置１１及び制御装置１２が取り付けられる。
【００３８】
格納部１０の開口部が開口している面をｘｚ平面とし、ｘｚ平面に対して垂直となる方向、言い換えれば開口部の奥行き方向をｙ方向とする。また、ｘｚ平面のうち、水平方向をｘ方向、鉛直方向をｚ方向とする。以下では、格納部１０を構成するｘ方向に直交する２つの面を格納部側面、格納部側面に対して上側の面を格納部上面、下側の面を格納部底面ともいう。なお、格納部１０において開口している側を手前側とし、反対側を奥側ともいう。
【００３９】
施錠装置１１及び制御装置１２は、格納部１０の開口部を構成する格納部側面のうち、扉部２０が取り付けられている格納部側面とは反対側の格納部側面に、当該格納部側面から施錠装置１１、制御装置１２の順に取り付けられる。
【００４０】
施錠装置１１は、ケース１１１の凹部が格納部１０の手前側を向くように格納部１０に設置される。施錠装置１１は、閉状態となった際に横板２２がケース１１１の凹部に挿入されるような位置及び向きに設けられる。
【００４１】
制御装置１２は、制御装置１２の左側面が施錠装置１１側を向くように取り付けられる。ここで、制御装置の左側面とは、制御装置１２において施錠コネクタ１２４が設けられている側の面をいう。また、接続ケーブル１１４は施錠コネクタ１２４に接続される。
【００４２】
また、制御装置１２は、押下スイッチ１２２が格納部１０の手前側を向くように取り付けられる。ここで、制御装置１２は、押下スイッチ１２２が閉状態において、ボタン穴２１１ｂを挿通する位置に取り付けられる。
【００４３】
図９に示すように制御装置１２は、機能的な構成として、ボタン部１４、電源部１５、読取部１６及び施錠制御部１７を備える。
ボタン部１４は、押下スイッチ１２２を含む。
【００４４】
電源部１５は、ボタン部１４に備えられた押下スイッチ１２２が押下されてからあらかじめ決められた時間である認証時間の間だけ、電池ケース１２３から読取部１６に電力を供給する。ここで、認証時間は例えば５秒間である。
【００４５】
読取部１６は、アンテナ１２１を含む。読取部１６は、電源部１５から電源供給を受けて動作する。収受装置１の外部の認証鍵から入力される信号である認証信号を読み取る。
施錠制御部１７は、読取部１６により読み取られた認証信号に含まれる認証情報があらかじめ決められた条件である認証条件に合致する場合に解錠制御を行うことにより、施錠装置１１の施錠を解錠する。認証条件とは、例えば、認証情報が登録された登録情報と合致していることをいう。なお、認証鍵を含むシステム全体が認証システムに相当する。
［２．動作例］
閉状態の収受装置１において、使用者は、設置穴２１１を挿通している押下スイッチ１２２を押下する。
【００４６】
ここで、使用者による押下スイッチ１２２の押下は、認証鍵をかざしながら押下してもよく、また、認証鍵により押下スイッチ１２２を押下してもよい。
押下スイッチ１２２が押下されると、読取部１６が認証時間の間、ＲＦＩＤタグである認証鍵からの信号である認証信号を読み取る。読取部１６により読み取られた認証情報は制御装置１２に内蔵されたメモリにログとして保存される。
【００４７】
認証信号が認証条件を満たす場合には、施錠制御部１７により解錠制御が行われ、施錠装置１１が解錠される。
そして、使用者により収受装置１内の物品が取り出し可能となる。
［３．効果］
以上詳述した実施形態によれば、以下の効果を奏する。
【００４８】
（１）上記実施形態によれば、集中制御を行う中央制御装置を必要とせず、中央制御装置と各収受装置をつなぐ接続するための配線を必要としない。そのため、配線の手間がかからない。これにより、容易に既存の非電子式の簡易的な施錠機構を、電子式の施錠装置に置き換えることができる。
【００４９】
（２）上記実施形態によれば、収受装置ごとに設置することが可能となるため、収受装置ごとに施錠機構を置き換えるか否かを選択することができる。
（３）上記実施形態によれば、設置穴はダイヤル錠の取り付けに使用される穴である。これにより、新たに扉部本体に穴を開ける必要なく制御装置を設置することができるため、設置の手間を抑えることができる。
［４．他の実施形態］
以上、本開示の実施形態について説明したが、本開示は上述の実施形態に限定されることなく、種々変形して実施することができる。
【００５０】
（１）上記実施形態において、格納部１０は直方体形状で、扉部本体２１は長方形状であるとしたが、これに限定されるものではない。図１０に示すように格納部は立方体形状であってもよく、扉部本体は格納部にあわせて正方形形状であってもよい。
【００５１】
（２）上述した収受装置には、収受装置の格納部内に物品が入っているか否かを判定するセンサである投入判定センサ３０を格納部の底面部分に更に備えてもよい。投入判定センサ３０は、例えば、図１１に示すように投入面３１、投入判定ボタン３２、投入信号ケーブル３３を備える。
【００５２】
投入面３１は、物品を置くことが出来るように構成された板状の部材であり、板状の部分の中央に投入判定ボタン３２を備える。投入面３１は、格納部の底面部分に投入判定ボタン３２が上を向くように設置される。
【００５３】
投入判定ボタン３２は、押下された場合に投入されたことを表す投入信号を、投入信号ケーブル３３を通じて送信するように構成される。
投入信号ケーブル３３は、制御装置１２に接続される。このような構成において、制御装置１２は、施錠装置１１の接続ケーブル１１４と接続するための施錠コネクタ１２４及びログコネクタ１２５とは別に、投入信号ケーブル３３と接続するためのコネクタを設けてもよい。
【００５４】
また、施錠コネクタ１２４、ログコネクタ１２５及び投入信号ケーブル３３と接続するためのコネクタのうち、少なくとも２つを共用する構成であってもよい。この場合において、コネクタは接続される相手の機器によっていずれのコネクタの機能を実行するか切り替える構成であってもよい。
【００５５】
制御装置１２は、設けられたコネクタから投入信号を受信していない場合に、押下スイッチ１２２が押されると、認証信号の読み取りを行わず、解錠制御を行ってもよい。
また、制御装置１２は、設けられたコネクタから投入信号を受信していない場合に、扉が閉じられても解錠状態を維持するような制御をしてもよい。具体的には、施錠装置１１のロック板１１２を構成する押戻部１１２ｄを押し戻した状態を維持するように構成されてもよい。
【００５６】
すなわち、投入判定センサ３０は、投入判定ボタン３２が押下されているか否かにより、収受装置に物品が入っているか否かを判定するセンサである。
また、投入信号ケーブル３３は接続先である、制御装置１２から電力を受け取るように構成されてもよい。
【００５７】
制御装置１２は、更に、投入信号を受信していない状態では、解錠制御を行うように構成されてもよい。
投入判定センサ３０を備える場合、物品が格納部に投入されていない限り、施錠されず、物品を投入するまでは任意に開閉できる。そのため、不特定の者が物品を投入し、認証鍵を所持する特定の者のみが物品を取り出すことができる宅配ボックスとして使用することができる。また、扉部本体２１から投入口２１２を省略してもよい。なお、投入判定センサ３０が投入判定部に相当する。
【００５８】
（３）また、投入判定センサ３０は、上述したように投入判定ボタン３２が押下されているか否かにより判定するものに限定されるものではない。例えば、圧力センサや、赤外線センサなど、収受装置に物品が入っているか否かを判定できるセンサであればよい。
【００５９】
（４）また、格納部は、投入判定センサ３０の代わりにレバー部１３を備える構成であってもよい。
レバー部１３は次のように構成されてもよい。レバー部１３は、図１２の正面図及び側面図に示すように、固定板１３１、レバー軸１３２及びレバー板１３３を有する。
【００６０】
固定板１３１は長方形状の板状部材である。また、固定板１３１は固定開口部１３１ａを有する。固定開口部１３１ａは、施錠装置１１に備えられた接続ケーブル１１４が通る大きさに開口される。
【００６１】
レバー軸１３２は、固定板１３１の四隅のうちの一つに設けられる回転軸である。
レバー板１３３は、板面が屈曲したＬ字型の板状部材である。ここで、レバー板１３３のＬ字を構成する一辺の長さと他の一辺との長さは異なる。レバー板１３３のＬ字を構成する長い方の一辺の長さは、あらかじめ決められた長さであるレバー長に形成される。ここでいうレバー長は、レバー部１３が格納部１０に取り付けられた際に、レバー軸１３２の位置から格納部１０の開口面までの長さよりも長く形成される。ここで、当該長い方の一辺に沿った方向をレバー方向ともいう。また、レバー板１３３はレバー軸１３２により保持され、レバー板１３３の自由端の回転方向の位置を調節可能に構成される。ここで、レバー板１３３の自由端の回転方向の位置は、使用者により動かされた任意の位置に留まるように構成される。ここでいうレバー板１３３の自由端とは、レバー軸１３２が取り付けられた端部とは反対側の端部をいう。
【００６２】
（５）レバー部１３は、図１３に示すように固定板１３１の板状の面と、施錠装置１１のケース板の板状の面とが接するように取り付けられてもよい。ここで、接続ケーブル１１４は、固定板１３１に開口された固定開口部１３１ａ部を挿通するように配線されてもよい。
【００６３】
レバー部１３は、レバー板１３３のレバー方向が格納部１０の開口部の方向を向くようにすると、扉部２０が閉状態となるように扉部２０を動かしても、レバー板１３３が扉部２０に当たることにより、扉部２０は閉状態とならないようにできる。また、使用者により、レバー板１３３のレバー方向が格納部１０の開口部の方向を向かないようにすると、閉状態にすることができる。これにより、使用者などが誤って扉部２０を動かして、閉状態となってしまうことを防止することができる。
【００６４】
（６）上記実施形態では、登録ボタン１２６が押されると、アンテナ１２１が起動し、認証信号を読み取り、登録情報として制御装置１２に内蔵されたメモリに記憶するが、認証信号を読み取り、登録情報として制御装置１２に内蔵されたメモリに記憶させる動作は、これに限定されるものではない。例えば、登録ボタン１２６が押された後、アンテナ１２１が起動し読み取りを開始し、アンテナ１２１が読み取る信号がマスターキーから送信される信号と同一だった場合にのみ、登録を許可するものとしてもよい。ここでいうマスターキーとは、例えば、制御装置１２の管理者が所持し、制御装置１２を管理するための認証鍵をいう。
【００６５】
（７）また、この場合、アンテナ１２１に、マスターキーの次にかざした認証鍵を登録するものとしてもよい。また、マスターキーと、登録する認証鍵とをかざすタイミングを区別するために、制御装置１２には、音を発するためのスピーカーを更にそなえてもよい。ここで、タイミングを区別するための音とは、あらかじめメモリに記録された音であってもよく、また、登録する認証鍵をかざすように音声により指示する音声ガイダンスであってもよい。
【００６６】
同様に、登録書換ボタン１２７も、登録書換ボタン１２７を押された後に、アンテナ１２１が読み取る信号がマスターキーから送信される信号と同一だった場合にのみ制御装置１２に内蔵されたメモリに記憶された登録情報を読み取った認証情報に書き換えるものであってもよい。
【００６７】
（８）また、上記実施形態では、ログはログコネクタ１２５に外部機器が接続された際に出力されると記載したが、ログを出力する方法はこれに限定されるものではない。例えば、ログコネクタ１２５に外部機器が接続されると、アンテナ１２１が起動し、マスターキーの認証信号がアンテナ１２１に読み取られた場合に制御装置１２はログを出力してもよい。また、外部機器に記憶された専用のアプリなどのソフトウェアを実行した際に、制御装置１２はログを出力してもよい。
【００６８】
（９）また、上記実施形態では、制御装置１２に内蔵されたメモリに認証情報を登録、書き換えする構成を記載したが、他に制御装置１２に内蔵されたメモリに記憶された認証情報を一部又は全部削除する構成を更にそなえていてもよい。例えば、制御装置１２に内蔵されたメモリに記憶された認証情報を全て削除するオールリセットボタンなどを更に備えていてもよい。
【００６９】
（１０）また、制御装置１２に備えられる各種ボタンは別々に備えられてもよく、反対に同一のボタンで押し方によってその機能を区別するものであってもよい。ここでいう押し方とは、例えばあらかじめ決められた時間未満押された場合には、登録ボタン１２６として機能し、あらかじめ決められた時間以上押された場合には、登録書換ボタン１２７として機能するといった構成であってもよい。
【００７０】
（１１）上記実施形態では、認証鍵はＲＦＩＤタグであるとしたが、認証鍵の種類はこれに限定されるものではない。すなわち認証信号は、ＲＦＩＤタグから出力される信号に限定されるものではない。認証信号は、例えば、ＩＣカードや、Bluetooth（登録商標）、リモコンの電波や赤外線といった非接触で送受信できる信号であればよい。この場合にアンテナは、それらの外部からの認証信号を受信するアンテナであればよい。
【００７１】
（１２）図１４に示すように、扉部本体に更に窓部２１３を備えていてもよい。
窓部２１３は、扉部本体に備えられる透明な部分であり、格納部の内部に入っている者が閉状態においても確認できるように設置されていてもよい。
【００７２】
（１３）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言から特定される技術思想に含まれるあらゆる態様が本開示の実施形態である。
【００７３】
（１４）上述した制御装置の他、当該制御装置を構成要素とするシステム、当該制御装置としてコンピュータを機能させるためのプログラム、このプログラムを記録した半導体メモリ等の非遷移的実態的記録媒体、制御方法など、種々の形態で本開示を実現することもできる。
【符号の説明】
【００７４】
１…収受装置、１０…格納部、１１…施錠装置、１２…制御装置、１３…レバー部、１４…ボタン部、１５…電源部、１６…読取部、１７…施錠制御部、２０…扉部、２１…扉部本体、２２…横板、３０…投入判定センサ、３１…投入面、３２…投入判定ボタン、３３…投入信号ケーブル、１１１…ケース、１１２…ロック板、１１２ａ…回転穴、１１２ｂ…固定部、１１２ｃ…押込部、１１２ｄ…押戻部、１１３…アクチュエータ、１１３ａ…伸縮部、１１４…接続ケーブル、１１５…非常解錠ボタン、１２１…アンテナ、１２２…押下スイッチ、１２３…電池ケース、１２４…施錠コネクタ、１２５…ログコネクタ、１２６…登録ボタン、１２７…登録書換ボタン、１３１…固定板、１３１ａ…固定開口部、１３２…レバー軸、１３３…レバー板、２１１…設置穴、２１１ａ…設置カバー、２１１ｂ…ボタン穴、２１２…投入口、２１３…窓部、２２１…先端部、２２２…横板開口部。
【図１】
2019085793.tif 000003
【図２】
2019085793.tif 000004
【図３】
2019085793.tif 000005
【図４】
2019085793.tif 000006
【図５】
2019085793.tif 000007
【図６】
2019085793.tif 000008
【図７】
2019085793.tif 000009
【図８】
2019085793.tif 000010
【図９】
2019085793.tif 000011
【図１０】
2019085793.tif 000012
【図１１】
2019085793.tif 000013
【図１２】
2019085793.tif 000014
【図１３】
2019085793.tif 000015
【図１４】
2019085793.tif 000016